(57)【要約】【課題】眼電位に基づく視線の特定精度を高めること。【解決手段】眼電位情報処理装置は、ユーザに装着された眼電位検出部で検出されたユーザの眼電位を取得する眼電位取得部と、ユーザの顔の正面方向の加速度である第１加速度を取得する加速度取得部と、第１加速度の大きさが予め定められた第１基準値より大きいタイミングである第１タイミングを特定するタイミング特定部と、第１タイミングにおけるユーザの視線方向が予め定められた方向を向いていると判断し、第１タイミングにおける視線方向と、眼電位取得部が取得した第２タイミングにおける眼電位とに基づいて、第２タイミングにおけるユーザの視線方向を特定する視線特定部とを備える。【選択図】図３
2015202197.tif 000002
【特許請求の範囲】
【請求項１】
ユーザに装着された眼電位検出部で検出された前記ユーザの眼電位を取得する眼電位取得部と、
前記ユーザの顔の正面方向の加速度である第１加速度を取得する加速度取得部と、
前記第１加速度の大きさが予め定められた第１基準値より大きいタイミングである第１タイミングを特定するタイミング特定部と、
前記第１タイミングにおける前記ユーザの視線方向が予め定められた方向を向いていると判断し、前記第１タイミングにおける前記視線方向と、前記眼電位取得部が取得した第２タイミングにおける前記眼電位とに基づいて、前記第２タイミングにおける前記ユーザの視線方向を特定する視線特定部と
を備える眼電位情報処理装置。
【請求項２】
前記視線特定部は、前記第１タイミングと前記第２タイミングとの間に検出された前記眼電位と、前記予め定められた方向とに基づいて、前記第２タイミングにおける前記視線方向を特定する
請求項１に記載の眼電位情報処理装置。
【請求項３】
前記視線特定部は、前記第１タイミングと前記第２タイミングとの間に検出された前記眼電位に基づいて、前記第１タイミングと前記第２タイミングとの間の前記視線方向の変化量を特定し、特定した前記視線方向の変化量と、前記予め定められた方向とに基づいて、前記第２タイミングにおける前記視線方向を特定する
請求項１または２に記載の眼電位情報処理装置。
【請求項４】
前記加速度取得部は、前記第１加速度の向きに略垂直な面内の加速度である第２加速度を更に取得し、
前記タイミング特定部は、前記第１加速度の大きさが前記第１基準値より大きく、かつ、前記第２加速度が予め定められた第２基準値より小さいタイミングを、前記第１タイミングとして特定する
請求項１から３のいずれか一項に記載の眼電位情報処理装置。
【請求項５】
前記視線特定部は、前記第１タイミングにおいて、前記視線方向が前記ユーザの顔の正面方向を向いていると判断する
請求項１から４のいずれか一項に記載の眼電位情報処理装置。
【請求項６】
前記眼電位取得部は、前記ユーザが装着している装着具に設けられた前記眼電位検出部で検出された前記ユーザの眼電位を取得する
請求項１から５のいずれか一項に記載の眼電位情報処理装置。
【請求項７】
前記眼電位取得部は、前記ユーザが装着しているアイウエアに設けられた前記眼電位検出部で検出された前記ユーザの眼電位を取得する
請求項１から６のいずれか一項に記載の眼電位情報処理装置。
【請求項８】
請求項１から７のいずれか一項に記載の眼電位情報処理装置と、
前記ユーザに装着される装着具と
を備え、
前記装着具は、
前記眼電位検出部と、
前記眼電位検出部で検出された前記眼電位を示す情報を、前記眼電位情報処理装置へ送信する送信部と
を有する眼電位情報処理システム。
【請求項９】
装着具であって、
前記装着具を装着している装着者の眼電位を検出する眼電位検出部と、
前記装着者の顔の正面方向の加速度である第１加速度を検出する加速度検出部と、
前記第１加速度の大きさが予め定められた第１基準値より大きいタイミングである第１タイミングを特定するタイミング特定部と、
前記第１タイミングにおける前記装着者の視線方向が予め定められた方向を向いていると判断し、前記第１タイミングにおける前記視線方向と、前記眼電位検出部が検出した第２タイミングにおける前記眼電位とに基づいて、前記第２タイミングにおける前記装着者の視線方向を特定する視線特定部と
を備える装着具。
【請求項１０】
コンピュータを、
ユーザに装着された眼電位検出部で検出された前記ユーザの眼電位を取得する眼電位取得部、
前記ユーザの顔の正面方向の加速度である第１加速度を取得する加速度取得部、
前記第１加速度の大きさが予め定められた第１基準値より大きいタイミングである第１タイミングを特定するタイミング特定部、
前記第１タイミングにおける前記ユーザの視線方向が予め定められた方向を向いていると判断し、前記第１タイミングにおける前記視線方向と、前記眼電位取得部が取得した第２タイミングにおける前記眼電位とに基づいて、前記第２タイミングにおける前記ユーザの視線方向を特定する視線特定部
として機能させるためのプログラム。
【発明の詳細な説明】
【技術分野】
【０００１】
本発明は、眼電位情報処理装置、眼電位情報処理システム、装着具及びプログラムに関する。
【背景技術】
【０００２】
使用者の眼の周囲に配置された二対の電極で眼電位を検出するアイウエア型の眼電図計測装置が知られている（例えば、特許文献１参照）。
特許文献１  特開２００４−２５４８７６号公報
【発明の概要】
【発明が解決しようとする課題】
【０００３】
例えばアイウエアの装着者の視線変化以外の要因によって、眼電位が変動する場合がある。また、眼電位のＳＮ比が小さい場合、装着者の視線の特定精度が低くなる。このように、眼電位に基づいて装着者の視線を特定する場合、十分な精度で視線を特定できない場合がある。
【課題を解決するための手段】
【０００４】
第１の態様においては、眼電位情報処理装置は、ユーザに装着された眼電位検出部で検出されたユーザの眼電位を取得する眼電位取得部と、ユーザの顔の正面方向の加速度である第１加速度を取得する加速度取得部と、第１加速度の大きさが予め定められた第１基準値より大きいタイミングである第１タイミングを特定するタイミング特定部と、第１タイミングにおけるユーザの視線方向が予め定められた方向を向いていると判断し、第１タイミングにおける視線方向と、眼電位取得部が取得した第２タイミングにおける眼電位とに基づいて、第２タイミングにおけるユーザの視線方向を特定する視線特定部とを備える。
【０００５】
視線特定部は、第１タイミングと第２タイミングとの間に検出された眼電位と、予め定められた方向とに基づいて、第２タイミングにおける視線方向を特定してよい。
【０００６】
視線特定部は、第１タイミングと第２タイミングとの間に検出された眼電位に基づいて、第１タイミングと第２タイミングとの間の視線方向の変化量を特定し、特定した視線方向の変化量と、予め定められた方向とに基づいて、第２タイミングにおける視線方向を特定してよい。
【０００７】
加速度取得部は、第１加速度の向きに略垂直な面内の加速度である第２加速度を更に取得し、タイミング特定部は、第１加速度の大きさが第１基準値より大きく、かつ、第２加速度が予め定められた第２基準値より小さいタイミングを、第１タイミングとして特定してよい。
【０００８】
視線特定部は、第１タイミングにおいて、視線方向がユーザの顔の正面方向を向いていると判断してよい。
【０００９】
眼電位取得部は、ユーザが装着している装着具に設けられた眼電位検出部で検出されたユーザの眼電位を取得してよい。
【００１０】
眼電位取得部は、ユーザが装着しているアイウエアに設けられた眼電位検出部で検出されたユーザの眼電位を取得してよい。
【００１１】
第２の態様においては、眼電位情報処理システムは、上記眼電位情報処理装置と、ユーザに装着される装着具とを備え、装着具は、眼電位検出部と、眼電位検出部で検出された眼電位を示す情報を、眼電位情報処理装置へ送信する送信部とを有する。
【００１２】
第３の態様においては、装着具は、装着具を装着している装着者の眼電位を検出する眼電位検出部と、装着者の顔の正面方向の加速度である第１加速度を検出する加速度検出部と、第１加速度の大きさが予め定められた第１基準値より大きいタイミングである第１タイミングを特定するタイミング特定部と、第１タイミングにおける装着者の視線方向が予め定められた方向を向いていると判断し、第１タイミングにおける視線方向と、眼電位検出部が検出した第２タイミングにおける眼電位とに基づいて、第２タイミングにおける装着者の視線方向を特定する視線特定部とを備える。
【００１３】
第４の態様においては、プログラムは、コンピュータを、ユーザに装着された眼電位検出部で検出されたユーザの眼電位を取得する眼電位取得部、ユーザの顔の正面方向の加速度である第１加速度を取得する加速度取得部、第１加速度の大きさが予め定められた第１基準値より大きいタイミングである第１タイミングを特定するタイミング特定部、第１タイミングにおけるユーザの視線方向が予め定められた方向を向いていると判断し、第１タイミングにおける視線方向と、眼電位取得部が取得した第２タイミングにおける眼電位とに基づいて、第２タイミングにおけるユーザの視線方向を特定する視線特定部として機能させる。
【００１４】
なお、上記の発明の概要は、本発明の特徴の全てを列挙したものではない。また、これらの特徴群のサブコンビネーションもまた、発明となりうる。
【図面の簡単な説明】
【００１５】
【図１】一実施形態における眼電位情報処理システム１０の一例を概略的に示す。
【図２】メガネ１００及びスマートフォン４０を模式的に示す。
【図３】スマートフォン４０の機能ブロック構成及び処理ユニット１８０の機能ブロック構成を概略的に示す。
【図４】メガネ１００が有する眼電位検出用電極とユーザ２０との位置関係を概略的に示す。
【図５】ユーザ２０の視線方向の変化を概略的に示す。
【図６】眼電位及び加速度の時間発展の一例を概略的に示す。
【図７】スマートフォン４０において実行される処理を表すフローチャートを示す。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
図１は、一実施形態における眼電位情報処理システム１０の一例を概略的に示す。眼電位情報処理システム１０は、メガネ１００、スマートフォン４０及び自動車３０を備える。
【００１８】
ユーザ２０は、メガネ１００、スマートフォン４０及び自動車３０のそれぞれの使用者である。ユーザ２０は、メガネ１００を装着する装着者である。ユーザ２０は自動車３０の運転者である。自動車３０は、車両の一例である。車両とは、乗り物の一例である。スマートフォン４０は、眼電位情報処理装置の一例である。
【００１９】
メガネ１００は、ユーザ２０の顔部に装着される。メガネ１００は、スマートフォン４０と通信する機能を有する。メガネ１００は、ユーザ２０の眼電位を検出して、検出した眼電位の情報をスマートフォン４０に送信する。また、メガネ１００は、メガネ１００の加速度を検出して、検出した加速度の情報をスマートフォン４０に送信する。
【００２０】
スマートフォン４０は、メガネ１００から受信した眼電位を解析する。スマートフォン４０は、メガネ１００から受信した眼電位を、メガネ１００から受信した加速度とともに解析する。スマートフォン４０は、眼電位、加速度等の解析結果に基づいて、ユーザ２０に情報を提供する。
【００２１】
自動車３０は、情報処理ユニット３２を有する。スマートフォン４０は、情報処理ユニット３２と通信して、眼電位、加速度等の解析結果に基づく情報を、情報処理ユニット３２に送信する。情報処理ユニット３２は、スマートフォン４０から受信した情報に基づいて、ユーザ２０に情報を提供する。
【００２２】
例えば、スマートフォン４０は、眼電位、加速度等を解析して、ユーザ２０の状態を特定する。具体的には、スマートフォン４０は、ユーザ２０の視線方向及び瞬目状態等を特定する。また、スマートフォン４０は、ユーザ２０の視線方向や加速度等を解析して、ユーザが脇見運転をしているか否かを判断する。スマートフォン４０は、ユーザ２０が脇見運転をしていると判断した場合に、ユーザ２０に警告を発する。例えば、スマートフォン４０は、ユーザ２０が脇見運転をしていると判断した場合に、警告音を発生する。なお、スマートフォン４０は、ユーザ２０が脇見運転をしている旨の情報を、情報処理ユニット３２に送信してよい。情報処理ユニット３２は、ユーザ２０が脇見運転をしていることを示す情報をスマートフォン４０から受信した場合に、警告音を発生する等によってユーザ２０に警告を発する。なお、スマートフォン４０は、視線方向及び瞬目状態等に基づき、ユーザ２０に眠気が生じているか否かを判断してよい。スマートフォン４０がユーザ２０に眠気が生じていると判断した場合、ユーザ２０が脇見運転をしていると判断した場合と同様に、スマートフォン４０及び情報処理ユニット３２の少なくとも一方が、ユーザ２０に警告を発してよい。
【００２３】
スマートフォン４０は、眼電位の変化量に基づいて、ユーザ２０の視線方向を特定する。スマートフォン４０は、メガネ１００で検出された正面方向の加速度が予め定められた基準値より大きい場合、ユーザ２０が正面を向いていると判断する。そして、その後に最初に眼電位の変化が検出された場合、スマートフォン４０は、ユーザ２０の視線方向が、眼電位の変化量に応じた角度だけ正面方向から変化した向きにあると判断する。
【００２４】
例えば自動車３０を発進させる場合等のように、自動車３０を大きく加速させているときには、ユーザ２０は正面を注視している可能性が高い。そのため、眼電位情報処理システム１０によれば、ユーザ２０の視線方向を適時に較正することができる。したがって、眼電位情報処理システム１０によれば、例えば視線変化以外の要因で生じる眼電位の変動によって視線の特定精度が低下することを抑制できる。また、メガネ１００で検出された眼電位の信号のＳ／Ｎ比が低い場合でも、視線方向の特定精度を高めることができる。
【００２５】
なお、本実施形態の説明において、図１等に示される直交座標系の座標軸を用いて、各種の方向を特定する場合がある。ｚ軸プラス方向を、ユーザ２０が正面に沿う方向に定める。また、ｙ軸マイナス方向を、鉛直方向に定める。ｘ軸、ｙ軸、ｚ軸は、右手系の直交座標系である。説明の都合上、ｚ軸プラス方向を正面方向等と呼ぶ場合がある。また、ｙ軸プラス方向を上方等と呼ぶ場合がある。また、ｙ軸マイナス方向を下方等と呼ぶ場合がある。また、ｘ軸プラス方向を左方等と呼ぶ場合がある。また、ｘ軸マイナス方向を右方等と呼ぶ場合がある。なお、ｚ軸方向は、自動車３０の進行方向に実質的に一致する。ｚ軸プラス方向は、自動車３０が前進している場合の進行方向に実質的に一致する。ｚ軸マイナス方向は、自動車３０が後退している場合の進行方向に実質的に一致する。
【００２６】
図２は、メガネ１００及びスマートフォン４０を模式的に示す。メガネ１００は、レンズ１１０及びフレーム１２０を備える。メガネ１００及びフレーム１２０は、アイウエアの一例である。
【００２７】
フレーム１２０は、一対のレンズ１１０を支持する。フレーム１２０は、リム１２２、ブリッジ１２４、ヨロイ１２６、テンプル１３０、モダン１３２、右ノーズパッド１４１、左ノーズパッド１４２、第１電極１５１、第２電極１５２、第３電極１５３、接地電極１５４、処理ユニット１８０及び電源ユニット１９０を有する。レンズ１１０、リム１２２、ヨロイ１２６、テンプル１３０、及びモダン１３２は、それぞれ左右一対に設けられる。フレーム１２０のうち、リム１２２、ブリッジ１２４、右ノーズパッド１４１、左ノーズパッド１４２及びヨロイ１２６の部分を、メガネ１００のフロント部と呼ぶ。
【００２８】
リム１２２は、レンズ１１０を保持する。ヨロイ１２６は、リム１２２の外側に設けられテンプル１３０を可動に保持する。テンプル１３０は、ユーザ２０の耳の上部を押圧して、押圧した部位を挟持する。モダン１３２は、テンプル１３０の先端に設けられる。モダン１３２は、ユーザ２０の耳の上部に接触する。
【００２９】
第１電極１５１は、眼電位を検出する眼電位検出部の一例である。第１電極１５１は、右ノーズパッド１４１の表面に設けられる。第１電極１５１は、右ノーズパッド１４１が有する表面のうち、ユーザ２０がメガネ１００を装着した場合にユーザ２０の顔に対向する側の表面に設けられる。ユーザ２０がメガネ１００を装着した場合、第１電極１５１はユーザ２０の皮膚に接触する。例えば、ユーザ２０がメガネ１００を装着した場合、第１電極１５１はユーザ２０の鼻の右側に接触する。本実施形態において、第１電極１５１は、主としてユーザ２０の右眼の眼電位を検出する。
【００３０】
第２電極１５２は、眼電位を検出する眼電位検出部の一例である。第２電極１５２は、左ノーズパッド１４２の表面に設けられる。第２電極１５２は、左ノーズパッド１４２が有する表面のうち、ユーザ２０がメガネ１００を装着した場合にユーザ２０の顔に対向する側の表面に設けられる。ユーザ２０がメガネ１００を装着した場合、第２電極１５２はユーザ２０の皮膚に接触する。例えば、ユーザ２０がメガネ１００を装着した場合、第２電極１５２はユーザ２０の鼻の左側に接触する。本実施形態において、第２電極１５２は、主としてユーザ２０の左眼の眼電位を検出する。
【００３１】
第３電極１５３は、眼電位を検出する眼電位検出部の一例である。第３電極１５３は、ブリッジ１２４の表面に設けられる。第３電極１５３は、ブリッジ１２４が有する表面のうち、ユーザ２０がメガネ１００を装着した場合にユーザ２０の顔に対向する表面に設けられる。ユーザ２０がメガネ１００を装着した場合、第３電極１５３はユーザ２０の皮膚に接触する。例えば、ユーザ２０がメガネ１００を装着した場合、第３電極１５３はユーザ２０の眉間の上部に接触する。本実施形態において、第３電極１５３で検出される眼電位は、ユーザ２０の右眼の眼電位及び左眼の眼電位を測定するための測定用の基準に用いられる。
【００３２】
接地電極１５４は、モダン１３２の表面に設けられる。接地電極１５４は、例えば右側のモダン１３２の表面に設けられる。接地電極１５４は、モダン１３２が有する表面のうち、ユーザ２０がメガネ１００を装着した場合にユーザ２０の顔に対向する表面に設けられる。ユーザ２０がメガネ１００を装着した場合、接地電極１５４はユーザ２０の皮膚に接触する。例えば、ユーザ２０がメガネ１００を装着した場合、接地電極１５４はユーザ２０の右耳の上部に接触する。本実施形態において、接地電極１５４の電位は、メガネ１００が有する電気回路の接地電位を提供する。
【００３３】
処理ユニット１８０は、左側のテンプル１３０の内部に設けられる。処理ユニット１８０には、第１電極１５１、第２電極１５２及び第３電極１５３で検出されたユーザ２０の眼電位が入力される。処理ユニット１８０は、入力された眼電位を処理して、処理された電位をスマートフォン４０に送信する。
【００３４】
電源ユニット１９０は、左側のテンプル１３０の内部に設けられる。電源ユニット１９０は、二次電池等の電池を含む。電源ユニット１９０は、電源ユニット１９０が含む電池に蓄積された電気エネルギーを、処理ユニット１８０に供給する。具体的には、電源ユニット１９０は、電池に蓄積された電気エネルギーから、接地電極１５４の電位を基準とした直流電力を生成する。電源ユニット１９０は、電池に蓄積された電気エネルギーから生成した直流電力を、処理ユニット１８０に供給する。
【００３５】
なお、電源ユニット１９０は、接地電極１５４が設けられた側のテンプル１３０の内部に設けられている。接地電極１５４の電位は、電源ユニット１９０から処理ユニット１８０に供給される直流電力の負側の電位を提供する。また、右側のモダン１３２には、電源ユニット１９０を充電するために充電口が形成されている。電源ユニット１９０が含む電池は、右側のモダン１３２に設けられた充電口を介して充電される。
【００３６】
図３は、スマートフォン４０の機能ブロック構成及び処理ユニット１８０の機能ブロック構成を概略的に示す。処理ユニット１８０は、処理部２００、加速度検出部２７０、送受信部２８０及び基板部２９０を含む。スマートフォン４０は、処理部３００、ＵＩ部３７０、送受信部３８０及び電源部３９０を含む。
【００３７】
処理ユニット１８０において、処理部２００、加速度検出部２７０及び送受信部２８０は、基板部２９０に実装される。処理部２００は、ＭＰＵ等のプロセッサで実現される。スマートフォン４０の各部は、主として処理部３００によって制御される。送受信部２８０は、スマートフォン４０と無線通信する機能を担う。送受信部２８０は、通信用プロセッサで実現される。例えば、送受信部２８０は、Ｂｌｕｅｔｏｏｔｈ（登録商標）等の近距離無線通信機能を有する通信用プロセッサで実現される。
【００３８】
メガネ１００のフレーム１２０の内部には、電線部１６０が設けられる。電線部１６０は、第１電極１５１、第２電極１５２、第３電極１５３、接地電極１５４及び電源ユニット１９０と、処理ユニット１８０とを電気的に接続する。電線部１６０は、第１電極１５１と処理ユニット１８０とを電気的に接続して、第１電極１５１で検出された眼電位を処理ユニット１８０に出力する電線と、第２電極１５２と処理ユニット１８０とを電気的に接続して、第２電極１５２で検出された眼電位を処理ユニット１８０に出力する電線と、第３電極１５３と処理ユニット１８０とを電気的に接続して、第３電極１５３で検出された眼電位を処理ユニット１８０に出力する電線と、電源ユニット１９０から処理ユニット１８０に電力を供給する電線とを有する。
【００３９】
メガネ１００において、処理部２００は、第１電極１５１で検出された眼電位である第１眼電位を取得して、取得した第１眼電位を処理する。また、処理部２００は、第２電極１５２で検出された眼電位である第２眼電位を取得して、取得した第２眼電位を処理する。また、処理部２００は、第３電極１５３で検出された眼電位である第３眼電位を取得して、取得した第３眼電位を処理する。
【００４０】
例えば、処理部２００は、第３眼電位を基準とした第１眼電位を処理する。本実施形態では、第３眼電位を基準とした第１眼電位を、Ｖ１と呼ぶ。処理部２００は、Ｖ１を予め定められた周期でサンプリングして、Ｖ１の時系列データを生成する。処理部２００は、生成したＶ１の時系列データを、送受信部２８０に出力する。
【００４１】
また、処理部２００は、第３眼電位を基準とした第２眼電位を処理する。本実施形態では、第３眼電位を基準とした第２眼電位を、Ｖ２と呼ぶ。処理部２００は、Ｖ２を予め定められた周期でサンプリングして、Ｖ２の時系列データを生成する。処理部２００は、生成したＶ２の時系列データを、送受信部２８０に出力する。
【００４２】
加速度検出部２７０は、メガネ１００の加速度を検出する。加速度検出部２７０は、例えば３軸加速度センサである。処理部２００には、加速度検出部２７０で検出された加速度が入力される。
【００４３】
処理部２００は、加速度検出部２７０で検出された加速度を取得して、取得した加速度を処理する。処理部２００は、加速度を予め定められた周期でサンプリングして、時系列の加速度のデータを生成する。処理部２００は、生成した加速度の時系列データを送受信部２８０に出力する。送受信部２８０に出力される加速度データは、３軸の各方向の加速度の時系列データを含む。
【００４４】
送受信部２８０は、処理部２００から取得したＶ１の時系列データ、Ｖ２の時系列データ及び加速度の時系列データを、無線信号で送受信部３８０に送信する。
【００４５】
スマートフォン４０において、電源部３９０は、二次電池等の電池を含む。電源部３９０は、処理部３００、送受信部３８０及びＵＩ部３７０を含むスマートフォン４０の各部に電力を供給する。
【００４６】
ＵＩ部３７０は、ユーザ２０とのユーザインタフェース（ＵＩ）を提供する。例えば、ＵＩ部３７０は、タッチパネル、操作キー、音生成装置等を含む。
【００４７】
送受信部３８０は、メガネ１００と無線通信する機能を担う。送受信部３８０は、Ｂｌｕｅｔｏｏｔｈ（登録商標）等の近距離無線通信機能を有する通信用プロセッサで実現される。送受信部３８０と送受信部２８０とは、Ｂｌｕｅｔｏｏｔｈ（登録商標）規格に従って無線通信を行う。なお、送受信部２８０と送受信部３８０との間の通信は、Ｂｌｕｅｔｏｏｔｈ（登録商標）通信に限られない。送受信部２８０と送受信部３８０との間の通信は、例えば無線ＬＡＮ等を含む様々な方式の無線通信で実現され得る。送受信部２８０と送受信部３８０との間の通信は、ＵＳＢ等を含む様々な方式の有線通信によって実現され得る。
【００４８】
送受信部３８０は、メガネ１００から送信された眼電位を示す情報を受信する。また、送受信部３８０は、メガネ１００から送信された加速度を示す情報を受信する。具体的には、送受信部３８０は、送受信部２８０から受信した無線信号を受信して、受信した無線信号を復調して、Ｖ１の時系列データ、Ｖ２の時系列データ及び加速度の時系列データを含む受信データを生成する。送受信部３８０は、生成した受信データを、処理部３００に出力する。
【００４９】
処理部３００は、眼電位取得部３１０、加速度取得部３２０、タイミング特定部３３０、視線特定部３４０及び状態特定部３５０を有する。
【００５０】
眼電位取得部３１０は、ユーザ２０の顔に装着されているメガネ１００で検出されたユーザ２０の眼電位を取得する。加速度取得部３２０は、ユーザ２０の顔の正面方向の加速度である第１加速度を取得する。第１加速度は、ユーザ２０の顔に装着されているメガネ１００の、ユーザ２０の顔からメガネ１００のフロント部へ向かう方向の加速度である。第１加速度は、ｚ軸に沿う方向の加速度である。例えば、第１加速度は、ｚ軸プラス方向に沿う方向の加速度である。また、加速度取得部３２０は、第１加速度の向きに略垂直な面内の加速度である第２加速度を取得する。第２加速度は、例えばｘｙ面内の加速度である。
【００５１】
具体的には、眼電位取得部３１０は、送受信部３８０で受信した情報に基づいて、メガネ１００で検出されたユーザ２０の眼電位を取得する。より具体的には、眼電位取得部３１０は、送受信部３８０から出力された受信データからＶ１の時系列データ及びＶ２の時系列データを抽出することにより、メガネ１００で検出された眼電位を取得する。また、加速度取得部３２０は、送受信部３８０で受信した情報に基づいて、メガネ１００で検出された加速度を取得する。より具体的には、加速度取得部３２０は、送受信部３８０から出力された受信データから加速度データを抽出することにより、メガネ１００で検出された加速度を取得する。
【００５２】
タイミング特定部３３０は、第１加速度の大きさが予め定められた第１基準値より大きいタイミングである第１タイミングを特定する。視線特定部３４０は、第１タイミングにおけるユーザ２０の視線方向が予め定められた方向を向いていると判断する。例えば、視線特定部３４０は、第１タイミングにおいて、視線方向がユーザ２０の顔の正面方向を向いていると判断する。
【００５３】
視線特定部３４０は、第１タイミングにおける視線方向と、眼電位取得部３１０が取得した第２タイミングにおける眼電位とに基づいて、第２タイミングにおけるユーザ２０の視線方向を特定する。具体的には、視線特定部３４０は、第１タイミングと第２タイミングとの間に検出された眼電位と、第１タイミングにおける視線方向として判断された予め定められた方向とに基づいて、第２タイミングにおける視線方向を特定する。より具体的には、視線特定部３４０は、第１タイミングと第２タイミングとの間に検出された眼電位に基づいて、第１タイミングと第２タイミングとの間の視線方向の変化量を特定する。そして、視線特定部３４０は、特定した視線方向の変化量と、予め定められた方向とに基づいて、第２タイミングにおける視線方向を特定する。
【００５４】
なお、タイミング特定部３３０は、第１加速度の大きさが第１基準値より大きく、かつ、第２加速度が予め定められた第２基準値より小さいタイミングを、第１タイミングとして特定してよい。なお、第２基準値は、第１基準値より小さくてよい。第２基準値は、第１基準値と同じであってよい。
【００５５】
状態特定部３５０は、視線特定部３４０が特定したユーザ２０の視線方向を解析して、ユーザ２０の状態を特定する。また、状態特定部３５０は、第１眼電位又は第２眼電位に基づいて、瞬目の有無を特定する。また、状態特定部３５０は、視線方向及びユーザ２０の瞬目状態を解析して、ユーザ２０の状態を特定する。例えば、状態特定部３５０は、ユーザ２０の状態として、ユーザ２０が脇見運転をしているか否かを判断する。また、状態特定部３５０は、ユーザ２０の状態として、ユーザ２０に眠気が生じているか否かを判断する。状態特定部３５０は、ユーザ２０が脇見運転をしていると判断した場合や、ユーザ２０に眠気が生じていると判断した場合、ＵＩ部３７０を通じてユーザ２０に警告を発する。
【００５６】
スマートフォン４０によれば、第１加速度の大きさが予め定められた第１基準値より大きいタイミングにおけるユーザ２０の視線方向が、予め定められた方向を向いていると判断する。これにより、ユーザ２０の視線方向を適時に較正できる。そのため、眼電位の変動によって生じる視線の特定精度の低下を抑制できる。また、メガネ１００で検出された眼電位の信号のＳ／Ｎ比が低い場合でも、視線方向の特定精度を高めることができる。
【００５７】
図４は、メガネ１００が有する眼電位検出用電極とユーザ２０との位置関係を概略的に示す。図４には、ユーザ２０がメガネ１００を装着している場合において、眼電位検出用電極がユーザ２０に接触する位置である接触位置が示されている。
【００５８】
第１接触位置４５１は、第１電極１５１がユーザ２０に接触する位置を表す。第２接触位置４５２は、第２電極１５２がユーザ２０に接触する位置を表す。第３接触位置４５３は、第３電極１５３がユーザ２０に接触する位置を表す。
【００５９】
第１接触位置４５１及び第２接触位置４５２は、右眼の眼球４０１の角膜４１１の中心及び左眼の眼球４０２の角膜４１２の中心より、下側に位置する。
【００６０】
第１接触位置４５１及び第２接触位置４５２は、第１接触位置４５１と眼球４０１との間の距離と、第２接触位置４５２と眼球４０２との間の距離とが略等しい位置にあることが望ましい。また、第１接触位置４５１及び第２接触位置４５２は、互いに一定の距離以上離間していることが望ましい。
【００６１】
第３接触位置４５３は、右眼の眼球４０１の角膜４１１の中心及び左眼の眼球４０２の角膜４１２の中心より、上側に位置する。第３接触位置４５３の位置は、第３接触位置４５３と第１接触位置４５１との間の距離と、第３接触位置４５３と第２接触位置４５２との間の距離とが略等しくなる位置にあってよい。第３接触位置４５３は、第３接触位置４５３と眼球４０１との間の距離が、眼球４０１と第１接触位置４５１との間の距離より離間し、かつ、第３接触位置４５３と眼球４０２との間の距離が、眼球４０２と第２接触位置４５２との間の距離より離間する位置にあってよい。
【００６２】
眼球においては、角膜側が正に帯電しており、網膜側が負に帯電している。したがって、ユーザ２０の視線方向が上方に変化した場合、第３電極１５３を基準とした第１電極１５１の電位であるＶ１及び第３電極１５３を基準とした第２電極１５２の電位であるＶ２は、ともに低下する。ユーザ２０の視線方向が下方に変化した場合、Ｖ１及びＶ２の電位はともに上昇する。ユーザ２０の視線方向が右方に変化した場合、Ｖ１は低下し、Ｖ２は上昇する。ユーザ２０の視線方向が左方に変化した場合、Ｖ１は上昇し、Ｖ２は低下する。視線特定部３４０は、Ｖ１の変化及びＶ２の変化に基づいて、視線方向が変化した方向を特定する。
【００６３】
なお、処理部２００は、Ｖ１及びＶ２を検出することにより、右眼の眼電位及び左眼の眼電位を測定する。そのため、眼電位に加わるノイズの影響を軽減できる。
【００６４】
なお、ユーザ２０の頭部を固定したとすると、ユーザ２０の視線方向は、眼球４０１の向き及び眼球４０２の向きによって定まる。ユーザ２０の視線方向は、ユーザ２０の頭部の向きによっても変わるから、ユーザ２０のグローバルな視線方向は、眼球４０１の向き、眼球４０１及びユーザ２０の頭部の向きによって定まる。本実施形態の説明において、眼球４０１の向き及び眼球４０１の向きによって定まる視線方向のことを、単に視線方向という場合がある。
【００６５】
図５は、ユーザ２０の視線方向の変化を概略的に示す。ここでは、眼球４０１の向きを取り上げる。特に、ｘｚ平面内における眼球４０１の向きを取り上げる。図５では、眼球４０１が角度θ１の方向を向いている状態から、眼球４０１がｘｚ面内で回転した場合を示す。
【００６６】
眼球４０１が角度θ１の方向を向いている状態から、眼球４０１がｘｚ面内で回転することで角膜４１１の位置が変化すると、角膜４１１の位置に応じてＶ１が変化する。視線特定部３４０は、Ｖ１の変化量に基づいて、眼球４０１の回転角度の変化量である角度変化量Δθ１を特定する。視線特定部３４０は、変化前の角度θ１と角度変化量Δθ１とに基づいて、回転後の眼球４０１の角度を特定する。具体的には、視線特定部３４０は、眼球４０１がθ１＋Δθ１の角度を向いていると判断する。
【００６７】
本図においては、ｘｙ面内の回転角度について説明したが、他の面内の回転角度についても同様に特定できる。このように、視線特定部３４０は、Ｖ１の時間変化に基づいて眼球４０１の向きを特定する。なお、視線特定部３４０は、眼球４０１の角度に関する処理と同様の処理により、Ｖ２の時間変化に基づいて、眼球４０２の向きを特定する。
【００６８】
視線特定部３４０は、眼球４０１の向き及び眼球４０２の向きに基づいて、ユーザ２０の視線方向を特定する。例えば、視線特定部３４０は、眼球４０１の向きのベクトルと、眼球４０２の向きのベクトルとを合成したベクトルが向く方向を、ユーザ２０の視線方向として特定してよい。
【００６９】
なお、眼球４０１の向き及び眼球４０２の向きは、ユーザ２０の視線方向を表す指標の一例である。眼球４０１の向きは、角膜４１１の位置と言い換えることができる。また、眼球４０２の向きを、角膜４１２の位置と言い換えることができる。また、ユーザ２０の視線方向とは、眼球４０１の向きのベクトル及び眼球４０２の向きのベクトル等から定まる１つの視線方向であってよい。すなわち、視線特定部３４０は、Ｖ１及びＶ２から、当該１つの視線方向を特定してよい。この場合、視線特定部３４０は、眼球４０１の向き及び眼球４０２の向きを特定することなく、Ｖ１の変化量及びＶ２の変化量に基づく予め定められた演算を行うことで、１つの視線方向を特定してよい。例えば、視線特定部３４０は、Ｖ１の変化量及びＶ２の変化量と１つの視線方向の変化量とを対応づける予め定められた演算を行うことで、１つの視線方向を特定してよい。
【００７０】
図６は、眼電位及び加速度の時間発展の一例を概略的に示す。ここでは、Ｖ１、Ｖ２と、ｚ方向の加速度Ａｚ、ｘ方向の加速度Ａｘ及びｙ方向の加速度Ａｙの時間発展の一例を概略的に示す。
【００７１】
グラフ６０１は、Ｖ１の時間発展を示す。グラフ６０２は、Ｖ２の時間発展を示す。グラフ６１１は、Ａｚの時間発展を示す。グラフ６１２は、Ａｘの時間発展を示す。グラフ６１３は、Ａｙの時間発展を示す。グラフ６０１、グラフ６０２、グラフ６１１、グラフ６１２及びグラフ６１３の横軸は、時間を表す。グラフ６０１の縦軸はＶ１を表す。グラフ６０２の縦軸はＶ２を表す。グラフ６１１の縦軸はＡｚを表す。グラフ６１２の縦軸はＡｘを表す。グラフ６１３の縦軸は、Ａｙを表す。
【００７２】
スマートフォン４０において、視線特定部３４０は、時刻ｔ１におけるＶ１の変化量及びＶ２の変化量に基づいて、時刻ｔ１において、ユーザ２０の視線方向が左方に変化したと判断する。また、時刻ｔ４におけるＶ１の変化及びＶ２の変化に基づいて、時刻ｔ４において、ユーザ２０の視線方向が右方に変化したと判断する。視線特定部３４０は、時刻ｔ１における視線方向から、時刻ｔ４におけるＶ１の変化及びＶ２の変化に応じた角度だけ、ユーザ２０の視線方向が右方に変化したと判断する。
【００７３】
タイミング特定部３３０は、時刻ｔ５においてＡｚの大きさが基準値Ａｔｈを超えたと判断する。また、タイミング特定部３３０は、時刻ｔ５におけるＡｘ及びＡｙを合成した加速度Ａｘｙの大きさが基準値Ａｔｈを超えていないと判断する。そのため、視線特定部３４０は、時刻ｔ５においてユーザ２０が正面を向いていると判断する。
【００７４】
なお、図６の例では、タイミング特定部３３０において、時刻ｔ５から時刻ｔ７の期間内でＡｚの大きさが基準値Ａｔｈを超えていると判断される。また、時刻ｔ５から時刻ｔ７までの期間内で合成加速度Ａｘｙの大きさ基準値Ａｔｈを超えていないと判断される。また、時刻ｔ５から時刻ｔ７までの期間内では、Ｖ１及びＶ２には、閾値より大きい大きさの変化は検出されていない。そのため、視線特定部３４０は、時刻ｔ５から時刻ｔ７の期間内において、ユーザ２０が正面を向いていると判断してよい。
【００７５】
なお、タイミング特定部３３０は、Ａｚの大きさがピークに達したタイミングを特定してよい。図６の例では、時刻ｔ６において、Ａｚの大きさがピークに達したと判断される。視線特定部３４０は、Ａｚの大きさが基準値Ａｔｈより大きく、かつ、Ａｚがピークに達したと判断された時刻ｔ６において、ユーザ２０が正面を向いていると判断してよい。
【００７６】
なお、視線特定部３４０は、Ａｚの大きさが、基準値Ａｔｈより大きい第２の基準値より小さい場合は、ユーザ２０が正面を向いており、かつ、予め定められた距離より近い位置を見ていると判断してよい。視線特定部３４０は、Ａｚの大きさが、基準値Ａｔｈより大きい第２の基準値を超えている場合に、ユーザ２０が正面を向いており、かつ、予め定められた距離より遠方の位置を見ていると判断してよい。予め定められた距離より遠方の位置とは、無限遠の位置であってよい。無限遠とは、眼電位情報処理システム１０において予め許容される誤差の範囲内で無限遠とみなすことができる距離であってよい。なお、視線特定部３４０は、ユーザ２０が正面を向いており、かつ、予め定められた距離より遠方の位置を見ていると判断した場合、角膜４１１の中心及び角膜４１２の中心が共にｚ軸に沿う方向を向いていると判断してよい。
【００７７】
時刻ｔ５から時刻ｔ８までの間、Ｖ１及びＶ２には、ユーザ２０の視線方向が実質的に変化したとみなされる程度の変化は生じていない。時刻ｔ８において、Ｖ１は実質的に増加し、Ｖ２が実質的に低下している。ここで、視線特定部３４０は、時刻ｔ８におけるＶ１の変化量及びＶ２の変化量に基づいて、ユーザ２０の視線方向が左方に変化した角度を特定する。そして、視線特定部３４０は、時刻ｔ８において、時刻ｔ８におけるＶ１の変化量及びＶ２の変化量に基づいて特定した角度だけ、ユーザ２０の視線方向が正面の向きから左方に変化したと判断する。
【００７８】
図７は、スマートフォン４０において実行される処理を表すフローチャートを示す。本フローチャートで示される処理は、スマートフォン４０で眼電位に関する情報処理を実行することが指示された場合に、開始される。例えば、スマートフォン４０において、メガネ１００で検出された眼電位を解析するソフトウエアが起動された場合に、本フローチャートで示される処理が開始する。
【００７９】
ステップＳ７００において、送受信部３８０は、メガネ１００から連続的に送信される眼電位の時系列データ及び加速度の時系列データの受信を開始する。
【００８０】
続いて、ステップＳ７０２において、視線方向を検出するための較正処理を行う。例えば、ステップＳ７２０において、ＵＩ部３７０は、正面を見るようユーザ２０に指示する。ＵＩ部３７０は、例えば、正面を見ることを指示する画面を表示する。続いて、視線特定部３４０は、ユーザ２０に正面を見るよう指示した後の時刻で検出されたＶ１の大きさ及びＶ２大きさがそれぞれ予め定められた閾値以下になった時刻において、ユーザ２０の視線方向が正面を向いていると判断する。これにより、視線特定部３４０は、ユーザ２０の現在の視線方向の初期値を設定する。
【００８１】
続いて、ステップＳ７０４において、ＵＩ部３７０は、較正が終了した旨をユーザ２０に通知する。例えば、ＵＩ部３７０は、較正が完了して、眼電位の解析を開始することを示す画面を表示する。
【００８２】
続いて、ステップＳ７１０において、タイミング特定部３３０は、Ａｚの大きさが基準値Ａｔｈより大きいか否かを判断する。ステップＳ７１０でＡｚの大きさが基準値Ａｔｈより大きいと判断した場合、ステップＳ７１２に処理を移行する。ステップＳ７１０でＡｚの大きさが基準値Ａｔｈ以下であると判断した場合、ステップＳ７２０に処理を移行する。
【００８３】
ステップＳ７１２において、タイミング特定部３３０は、Ａｘｙの大きさが基準値Ａｔｈより小さいか否かを判断する。ステップＳ７１２でＡｘｙが基準値Ａｔｈより小さいと判断した場合、ステップＳ７１４に処理を移行する。ステップＳ７１２でＡｘｙの大きさが基準値Ａｔｈ以上と判断した場合、ステップＳ７２０に処理を移行する。
【００８４】
ステップＳ７１４において、視線特定部３４０は、現在の視線方向を正面方向に設定して、ステップＳ７２０に処理を移行する。ステップＳ７１４の処理により、ユーザ２０の現在の視線方向が、ユーザ２０の正面方向に較正される。
【００８５】
ステップＳ７２０において、解析対象の時間でＶ１又はＶ２が変化したか否かを判断する。ステップＳ７２０でＶ１又はＶ２が変化したと判断した場合は、ステップＳ７２２に処理を移行する。ステップＳ７２０でＶ１及びＶ２のいずれも変化していないと判断した場合は、ステップＳ７２４に処理を移行する。
【００８６】
ステップＳ７２２において、Ｖ１の変化量及びＶ２の変化量に基づいて、ユーザ２０の眼に関する状態を判断する。具体的には、視線特定部３４０は、現在設定されている視線方向と、Ｖ１の変化量及びＶ２の変化量に基づいて、新たな視線方向を特定する。これにより、ユーザ２０の現在の視線方向が更新される。また、ステップＳ７２２において、状態特定部３５０は、Ｖ１の変化量又はＶ２の変化量に基づいて、瞬目の有無を判断する。
【００８７】
続いて、ステップＳ７２４において、状態特定部３５０は、視線特定部３４０で特定された現在のユーザ２０の視線方向及び瞬目の判断結果に基づいてユーザ２０の状態を解析して、解析結果に応じた処理を行う。ステップＳ７２４において、状態特定部３５０は、視線方向の変化の履歴や加速度の履歴等に基づいて、ユーザ２０が脇見運転をしている否かを判断して、ユーザ２０が脇見運転をしていると判断した場合、ＵＩ部３７０を通じてユーザ２０に警告を発する。状態特定部３５０は、加速度の履歴等に基づいて特定した自動車３０の進行方向と、ユーザ２０の視線方向とがなす角度が予め定められた閾値を超える状態が、予め定められた時間以上継続した場合に、ユーザ２０が脇見運転をしていると判断してよい。なお、ステップＳ７２４において、状態特定部３５０は、視線方向の変化の履歴や瞬目の頻度等に基づいて、ユーザ２０に眠気が生じているか否かを判断して、ユーザ２０に眠気が生じていると判断した場合、ＵＩ部３７０を通じてユーザ２０に警告を発してよい。
【００８８】
続いて、ステップＳ７３０において、処理部３００は、眼電位に関する情報処理を終了するか否かを判断する。例えば、スマートフォン４０において、眼電位を解析するソフトウエアを終了する指示があった場合に、眼電位に関する情報処理を終了すると判断する。ステップＳ７３０で眼電位に関する情報処理を終了すると判断した場合は、終了処理を行って（ステップＳ７３２）、本フローチャートの処理を終了する。ステップＳ７３０で眼電位に関する情報処理を終了しないと判断した場合は、解析対象の時間を進めて（ステップ７３４）、ステップＳ７１０に処理を移行する。
【００８９】
以上に説明した眼電位情報処理システム１０においては、Ｖ１及びＶ２を算出する処理は、処理部２００が行う。これに代えて、スマートフォン４０の視線特定部３４０が、Ｖ１及びＶ２を算出する処理を行ってよい。この場合、処理部２００は、第１眼電位、第２眼電位及び第３眼電位のそれぞれの時系列データを生成し、送受信部２８０が第１眼電位、第２眼電位及び第３眼電位のそれぞれの時系列データをスマートフォン４０に送信してよい。
【００９０】
また、以上に説明した眼電位情報処理システム１０では、視線特定部３４０は、Ｖ１及びＶ２を用いて、ユーザ２０の視線方向を特定する。他にも、視線特定部３４０は、Ｖ１及びＶ２の任意の線形結合を用いて、視線方向を特定してよい。例えば、視線特定部３４０は、Ｖ１＋Ｖ２と、Ｖ１−Ｖ２とを用いて、視線方向を特定してよい。また、視線特定部３４０は、Ｖ１の時間微分と、Ｖ２の時間微分とを用いて、ユーザ２０の視線方向を特定してもよい。また、視線特定部３４０は、視線方向を特定するための眼電位として、以上に説明したＶ１及びＶ２に代えて、接地電極１５４等の電位等の予め定められた基準電位を基準とした第１眼電位と、接地電極１５４の電位を基準とした第２眼電位とを適用してよい。
【００９１】
なお、処理部２００が、メガネ１００で検出されたユーザ２０の眼電位を取得する眼電位取得部としての機能と、Ａｚ等の第１加速度等の加速度を取得する加速度取得部としての機能と、タイミング特定部３３０の機能と、視線特定部３４０の機能とを有してよい。
【００９２】
なお、加速度を検出する機能は、スマートフォン４０が有してよい。他にも、加速度を検出する機能は、自動車３０が有してよい。
【００９３】
上記の説明において、スマートフォン４０において処理部３００、送受信部３８０の動作として説明した処理は、処理部３００、送受信部３８０等のプロセッサがプログラムに従ってスマートフォン４０が有する各ハードウェアを制御することにより実現される。このように、本実施形態のスマートフォン４０に関連して説明した、スマートフォン４０の少なくとも一部の処理は、プロセッサがプログラムに従って動作して各ハードウェアを制御することにより、プロセッサ、メモリ等を含む各ハードウェアとプログラムとが協働して動作することにより実現することができる。すなわち、当該処理を、いわゆるコンピュータによって実現することができる。コンピュータは、上述した処理の実行を制御するプログラムをロードして、読み込んだプログラムに従って動作して、当該処理を実行してよい。コンピュータは、当該プログラムを記憶しているコンピュータ読取可能な記録媒体から当該プログラムをロードすることができる。同様に、メガネ１００において処理部２００の動作として説明した処理は、いわゆるコンピュータによって実現することができる。
【００９４】
なお、スマートフォン４０は、メガネ１００で検出された眼電位の情報を処理する眼電位情報処理装置の一例である。眼電位情報処理装置としては、通信機能を有する情報処理装置であってよい。眼電位情報処理装置は、ユーザ２０が所持する携帯電話機、携帯情報端末、携帯音楽プレーヤ等の携帯型の電子機器であってよい。
【００９５】
なお、アイウエアの一例としてのメガネ１００は、ユーザ２０の目の屈折異常を補正したり、ユーザ２０の目を保護したり、着飾ったりすること等を目的として利用され得る。しかし、アイウエアはメガネに限定されない。アイウエアは、目に関連する装具であればよく、サングラス、ゴーグル、ヘッドマウントディスプレイなどの顔面装着具または頭部装着具であってよい。アイウエアは、顔面装着具または頭部装着具のフレームまたは当該フレームの一部であってもよい。アイウエアは、ユーザ２０に装着され得る装着具の一例である。装着具は、アイウエア等の眼に関連する装着具に限られない。装着具としては、帽子、ヘルメット、ヘッドフォン、補聴器等の様々な部材を適用できる。また、装着具は、ユーザ２０の顔等に貼り付けられる貼り付け具であってよい。電極等の眼電位検出部は、貼り付け具によってユーザ２０に貼り付けられることにより、ユーザ２０に装着されてよい。
【００９６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９８】
１０  眼電位情報処理システム
１００  メガネ
２０  ユーザ
３０  自動車
３２  情報処理ユニット
４０  スマートフォン
１１０  レンズ
１２０  フレーム
１２２  リム
１２４  ブリッジ
１２６  ヨロイ
１３０  テンプル
１３２  モダン
１４１  右ノーズパッド
１４２  左ノーズパッド
１５１  第１電極
１５２  第２電極
１５３  第３電極
１５４  接地電極
１６０  電線部
１８０  処理ユニット
１９０  電源ユニット
２００  処理部
２７０  加速度検出部
２８０  送受信部
２９０  基板部
３００  処理部
３１０  眼電位取得部
３２０  加速度取得部
３３０  タイミング特定部
３４０  視線特定部
３５０  状態特定部
３７０  ＵＩ部
３８０  送受信部
３９０  電源部
４０１、４０２  眼球
４１１、４１２  角膜
４５１  第１接触位置
４５２  第２接触位置
４５３  第３接触位置
６０１、６０２、６１１、６１２、６１３  グラフ
【図１】
2015202197.tif 000003
【図２】
2015202197.tif 000004
【図３】
2015202197.tif 000005
【図４】
2015202197.tif 000006
【図５】
2015202197.tif 000007
【図６】
2015202197.tif 000008
【図７】
2015202197.tif 000009